(57)【要約】【課題】測定装置が設置された施設内に設けられている売店等にユニークであり、かつ、効果的な販売促進を実現する。【解決手段】電子血圧計２０１（測定装置）の情報処理部が、リーダライタを駆動制御して、測定部が被験者の生体の状態を測定して出力する測定値のデータを記憶媒体に対して書き込みさせる。また、ＰＯＳ端末１０１（商品販売データ処理装置）の情報処理部が、商品販売データ処理に際してリーダから出力された測定値のデータを取得した場合には、この測定値に基づいて健康状態が非改善であるか否かを判定する処理と、商品コード読取部から出力された商品コードに健康状態改善商品を特定する商品コードが含まれているか否かに基づいて健康状態改善商品購入の有無を判定する処理とを実行し、健康状態の非改善判定と健康状態改善商品の購入判定とに応じて所定の特典処理を実行して、その旨を報知させるようにした。【選択図】図１
2009251696.tif 000002
【特許請求の範囲】
【請求項１】
被験者の生体の状態を測定して測定値のデータを出力する測定部と、測定値を含むデータを書き換え自在に記憶する記憶媒体に対してデータの読み書きを実行するリーダライタと、を備える測定装置と、
前記記憶媒体が記憶する測定値のデータを読み取り出力するリーダと、商品に付されて商品を特定する商品コードを読み取り出力する商品コード読取部と、情報を報知する報知部と、前記商品コード読取部から出力された商品コードに基づいて決済金額を算出する商品販売データ処理を実行する手段と、を備える商品販売データ処理装置と、
前記測定装置の情報処理部が、前記リーダライタを駆動制御して、前記測定部から出力された測定値のデータを前記記憶媒体に対して書き込みさせる手段と、
前記商品販売データ処理装置の情報処理部が、前記商品販売データ処理に際して前記リーダから出力された測定値のデータを取得した場合には、この測定値に基づいて健康状態が非改善であるか否かを判定する処理と、前記商品コード読取部から出力された商品コードに健康状態改善商品を特定する商品コードが含まれているか否かに基づいて健康状態改善商品購入の有無を判定する処理とを実行し、健康状態の非改善判定と健康状態改善商品の購入判定とに応じて所定の特典処理を実行する手段と、
前記商品販売データ処理装置の情報処理部が、健康状態の非改善判定と健康状態改善商品の購入判定とに応じて所定の特典処理を実行した旨を前記報知部に報知させる手段と、
を備える販売促進システム。
【請求項２】
被験者の生体の状態を測定して測定値のデータを出力する測定部と、被験者を特定する固有の会員ＩＤを含むデータを記憶する記憶媒体からデータを読み取り出力する第１のリーダと、外部装置との間でデータ通信を可能にする第１の通信部と、を備える測定装置と、
前記測定装置を含む外部装置との間でデータ通信を可能にする第２の通信部を備える第１の上位装置と、
前記第１の上位装置を含む外部装置との間でデータ通信を可能にする第３の通信部と、前記記憶媒体から会員ＩＤのデータを読み取り出力する第２のリーダと、商品に付されて商品を特定する商品コードを読み取り出力する商品コード読取部と、情報を報知する報知部と、前記商品コード読取部から出力された商品コードに基づいて決済金額を算出する商品販売データ処理を実行する手段と、を備える商品販売データ処理装置と、
前記測定装置の情報処理部が、前記測定部から出力された測定値のデータを、前記第１のリーダから出力された会員ＩＤのデータと共に、前記第１の通信部を介して前記第１の上位装置に向けて出力する手段と、
前記第１の上位装置の情報処理部が、前記出力された会員ＩＤ及び測定値のデータを前記第２の通信部を介して受信して、当該受信した会員ＩＤデータと測定値のデータとを対応付けて第１の記憶領域に記憶させる手段と、
前記商品販売データ処理装置の情報処理部が、前記商品販売データ処理に際して前記第２のリーダから出力された会員ＩＤのデータを取得した場合には、この会員ＩＤに対応する測定値のデータを前記第１の記憶領域から取得する処理と、この測定値に基づいて健康状態が非改善であるか否かを判定する処理と、前記商品コード読取部から出力された商品コードに健康状態改善商品を特定する商品コードが含まれているか否かに基づいて健康状態改善商品の購入の有無を判定する処理とを実行し、健康状態の非改善判定と健康状態改善商品の購入判定とに応じて所定の特典処理を実行する手段と、
前記商品販売データ処理装置の情報処理部が、健康状態の非改善判定と健康状態改善商品の購入判定とに応じて所定の特典処理を実行した旨を前記報知部に報知させる手段と、
を備える販売促進システム。
【請求項３】
被験者の生体の状態を測定して測定値のデータを出力する測定部と、被験者を特定する固有の会員ＩＤを含むデータを記憶する記憶媒体からデータを読み取り出力する第１のリーダと、外部装置との間でデータ通信を可能にする第１の通信部と、を備える測定装置と、
前記測定装置を含む外部装置との間でデータ通信を可能にする第２の通信部を備える第１の上位装置と、
前記第１の上位装置を含む外部装置との間でデータ通信自在にする第３の通信部と、前記記憶媒体から会員ＩＤのデータを読み取り出力する第２のリーダと、商品に付されて商品を特定する商品コードを読み取り出力する商品コード読取部と、情報を報知する報知部と、前記商品コード読取部から出力された商品コードに基づいて決済金額を算出する商品販売データ処理を実行する手段と、を備える商品販売データ処理装置と、
前記測定装置の情報処理部が、前記測定部から出力された測定値のデータを、前記第１のリーダから出力された会員ＩＤのデータと共に、前記第１の通信部を介して前記第１の上位装置に向けて出力する手段と、
前記第１の上位装置の情報処理部が、前記出力された会員ＩＤ及び測定値のデータを前記第２の通信部を介して受信した場合に、当該測定値に基づいて健康状態が非改善であるか否かを判定する処理を実行し、健康状態の非改善判定に応じて、所定の特典処理を実行する旨の特典情報を生成して、当該特典情報のデータを前記受信した会員ＩＤのデータに対応付けて第２の記憶領域に記憶させる手段と、
前記商品販売データ処理装置の情報処理部が、前記商品販売データ処理に際して前記第２のリーダから出力された会員ＩＤのデータを取得した場合には、この会員ＩＤに対応する特典情報のデータを前記第２の記憶領域から取得する処理と、前記商品コード読取部から出力された商品コードに健康状態改善商品を特定する商品コードが含まれているか否かに基づいて健康状態改善商品の購入の有無を判定する処理とを実行し、健康状態改善商品の購入判定に応じて前記取得した特典情報に従った特典処理を実行する手段と、
前記商品販売データ処理装置の情報処理部が、健康状態の非改善判定と健康状態改善商品の購入判定とに応じて所定の特典処理を実行した旨を前記報知部に報知させる手段と、
を備える販売促進システム。
【請求項４】
被験者の生体の状態を測定して測定値のデータを出力する測定部と、被験者を特定する固有の会員ＩＤを含むデータを記憶する記憶媒体からデータを読み取り出力する第１のリーダと、外部装置との間でデータ通信を可能にする第１の通信部と、を備える測定装置と、
前記測定装置を含む外部装置との間でデータ通信を可能にする第４の通信部を備える第２の上位装置と、
前記第２の上位装置を含む外部装置との間でデータ通信を可能にする第２の通信部を備える第１の上位装置と、
前記第１の上位装置を含む外部装置との間でデータ通信自在にする第３の通信部と、前記記憶媒体から会員ＩＤのデータを読み取り出力する第２のリーダと、商品に付されて商品を特定する商品コードを読み取り出力する商品コード読取部と、情報を報知する報知部と、前記商品コード読取部から出力された商品コードに基づいて決済金額を算出する商品販売データ処理を実行する手段と、を備える商品販売データ処理装置と、
前記測定装置の情報処理部が、前記測定部から出力された測定値のデータを、前記第１のリーダから出力された会員ＩＤのデータと共に、前記第１の通信部を介して前記第２の上位装置に向けて出力する手段と、
前記第２の上位装置の情報処理部が、前記出力された会員ＩＤ及び測定値のデータを前記第４の通信部を介して受信した場合に、当該測定値に基づいて健康状態が非改善であるか否かを判定する処理を実行し、健康状態の非改善判定に応じて、所定の特典処理を実行する旨の特典情報を生成して、当該特典情報のデータを前記受信した会員ＩＤのデータと共に、前記第４の通信部を介して前記第１の上位装置に向けて出力する手段と、
前記第１の上位装置の情報処理部が、前記出力された前記会員ＩＤ及び特典情報のデータを前記第２の通信部を介して受信して、当該会員ＩＤのデータと特典情報のデータとを対応付けて第２の記憶領域に記憶させる手段と、
前記商品販売データ処理装置の情報処理部が、前記商品販売データ処理に際して前記第２のリーダから出力された会員ＩＤのデータを取得した場合には、この会員ＩＤに対応する特典情報のデータを前記第２の記憶領域から取得する処理と、前記商品コード読取部から出力された商品コードに健康状態改善商品を特定する商品コードが含まれているか否かに基づいて健康状態改善商品の購入の有無を判定する処理とを実行し、健康状態改善商品の購入判定に応じて前記取得した特典情報に従った特典処理を実行する手段と、
前記商品販売データ処理装置の情報処理部が、健康状態の非改善判定と健康状態改善商品の購入判定とに応じて所定の特典処理を実行した旨を前記報知部に報知させる手段と、
を備える販売促進システム。
【発明の詳細な説明】
【技術分野】
【０００１】
本発明は、被験者の生体の状態を測定する電子血圧計等の測定装置の測定結果に応じて、特典処理を実行する販売促進システムに関する。
【背景技術】
【０００２】
従来、施設内や売店や小売店等では、販売促進の一環として、所定の条件を満たした顧客に対して特典付与（例えば、決済金額からの値下げ）が行われている。このような販売促進を実現するための運用の一例としては、例えば、一回の取引で所定金額以上の商品購入があった際に顧客にその金額に応じてポイントを与え（顧客が所有する会員カード等に記録する）、このポイントが所定値に達したことを条件として顧客に特典を与えるようなものが考えられる。
【０００３】
このような販売促進の効果としては、新規顧客の獲得や顧客のリピート率向上が考えられる。そして、これらによって、売上増加が期待できるのである。
【０００４】
【特許文献１】特開２００２−１３３２５０公報
【特許文献２】特開２００７−１５６８３９公報
【発明の開示】
【発明が解決しようとする課題】
【０００５】
上記のように、販売促進によって大きく売上増加することが期待できるので、店舗の形態に適合した販売促進が望まれている。
【０００６】
特に、被験者の生体の状態を測定する測定装置（例えば、電子血圧計、体重計、体脂肪計等）が設置された施設（スポーツクラブ、クアハウス、病院等）内に設けられている売店、又は、このような施設を運営する母体との間で業務提携の締結等がなされてこの施設外に設けられた小売店等において、他には無いユニークかつ効果的な販売促進の実現が望まれている。
【０００７】
なお、特許文献１は、電子血圧計のような測定装置と関連する医療機器及び販売促進という観点で行った特許調査により見出された文献である。もっとも特許文献１に記載された技術は、医療機器そのものについて販売促進を行うために、医療機器の購入実績に応じて医療関係者である顧客に対して所定の処理をするようにしたものであり、上記のような販売促進の実現について示唆を与えるものではない。
【０００８】
また、特許文献２には、電子血圧計のような装置のデータを利用する技術が記載されているが、スポーツクラブ等の施設内に設けられた売店等での販売促進をするようにしたものではない。
【０００９】
本発明の目的は、測定装置が設置された施設内に設けられている売店等にユニークであり、かつ、効果的な販売促進を実現することである。
【課題を解決するための手段】
【００１０】
本発明の販売促進システムは、被験者の生体の状態を測定して測定値のデータを出力する測定部と、測定値を含むデータを書き換え自在に記憶する記憶媒体に対してデータの読み書きを実行するリーダライタと、を備える測定装置と、前記記憶媒体が記憶する測定値のデータを読み取り出力するリーダと、商品に付されて商品を特定する商品コードを読み取り出力する商品コード読取部と、情報を報知する報知部と、前記商品コード読取部から出力された商品コードに基づいて決済金額を算出する商品販売データ処理を実行する手段と、を備える商品販売データ処理装置と、を備え、前記測定装置の情報処理部が、前記リーダライタを駆動制御して、前記測定部から出力された測定値のデータを前記記憶媒体に対して書き込みさせ、前記商品販売データ処理装置の情報処理部が、前記商品販売データ処理に際して前記リーダから出力された測定値のデータを取得した場合には、この測定値に基づいて健康状態が非改善であるか否かを判定する処理と、前記商品コード読取部から出力された商品コードに健康状態改善商品を特定する商品コードが含まれているか否かに基づいて健康状態改善商品購入の有無を判定する処理とを実行し、健康状態の非改善判定と健康状態改善商品の購入判定とに応じて所定の特典処理を実行し、また、前記商品販売データ処理装置の情報処理部が、健康状態の非改善判定と健康状態改善商品の購入判定とに応じて所定の特典処理を実行した旨を前記報知部に報知させるようにした。
【００１１】
別の面から見た本発明の販売促進システムは、被験者の生体の状態を測定して測定値のデータを出力する測定部と、被験者を特定する固有の会員ＩＤを含むデータを記憶する記憶媒体からデータを読み取り出力する第１のリーダと、外部装置との間でデータ通信を可能にする第１の通信部と、を備える測定装置と、前記測定装置を含む外部装置との間でデータ通信を可能にする第２の通信部を備える第１の上位装置と、前記第１の上位装置を含む外部装置との間でデータ通信を可能にする第３の通信部と、前記記憶媒体から会員ＩＤのデータを読み取り出力する第２のリーダと、商品に付されて商品を特定する商品コードを読み取り出力する商品コード読取部と、情報を報知する報知部と、前記商品コード読取部から出力された商品コードに基づいて決済金額を算出する商品販売データ処理を実行する手段と、を備える商品販売データ処理装置と、を備え、前記測定装置の情報処理部が、前記測定部から出力された測定値のデータを、前記第１のリーダから出力された会員ＩＤのデータと共に、前記第１の通信部を介して前記第１の上位装置に向けて出力し、前記第１の上位装置の情報処理部が、前記出力された会員ＩＤ及び測定値のデータを前記第２の通信部を介して受信して、当該受信した会員ＩＤデータと測定値のデータとを対応付けて第１の記憶領域に記憶させ、前記商品販売データ処理装置の情報処理部が、前記商品販売データ処理に際して前記第２のリーダから出力された会員ＩＤのデータを取得した場合には、この会員ＩＤに対応する測定値のデータを前記第１の記憶領域から取得する処理と、この測定値に基づいて健康状態が非改善であるか否かを判定する処理と、前記商品コード読取部から出力された商品コードに健康状態改善商品を特定する商品コードが含まれているか否かに基づいて健康状態改善商品の購入の有無を判定する処理とを実行し、健康状態の非改善判定と健康状態改善商品の購入判定とに応じて所定の特典処理を実行し、また、前記商品販売データ処理装置の情報処理部が、健康状態の非改善判定と健康状態改善商品の購入判定とに応じて所定の特典処理を実行した旨を前記報知部に報知させるようにした。
【００１２】
さらに別の面から見た本発明の販売促進システムは、被験者の生体の状態を測定して測定値のデータを出力する測定部と、被験者を特定する固有の会員ＩＤを含むデータを記憶する記憶媒体からデータを読み取り出力する第１のリーダと、外部装置との間でデータ通信を可能にする第１の通信部と、を備える測定装置と、前記測定装置を含む外部装置との間でデータ通信を可能にする第２の通信部を備える第１の上位装置と、前記第１の上位装置を含む外部装置との間でデータ通信自在にする第３の通信部と、前記記憶媒体から会員ＩＤのデータを読み取り出力する第２のリーダと、商品に付されて商品を特定する商品コードを読み取り出力する商品コード読取部と、情報を報知する報知部と、前記商品コード読取部から出力された商品コードに基づいて決済金額を算出する商品販売データ処理を実行する手段と、を備える商品販売データ処理装置と、を備え、前記測定装置の情報処理部が、前記測定部から出力された測定値のデータを、前記第１のリーダから出力された会員ＩＤのデータと共に、前記第１の通信部を介して前記第１の上位装置に向けて出力し、前記第１の上位装置の情報処理部が、前記出力された会員ＩＤ及び測定値のデータを前記第２の通信部を介して受信した場合に、当該測定値に基づいて健康状態が非改善であるか否かを判定する処理を実行し、健康状態の非改善判定に応じて、所定の特典処理を実行する旨の特典情報を生成して、当該特典情報のデータを前記受信した会員ＩＤのデータに対応付けて第２の記憶領域に記憶させ、前記商品販売データ処理装置の情報処理部が、前記商品販売データ処理に際して前記第２のリーダから出力された会員ＩＤのデータを取得した場合には、この会員ＩＤに対応する特典情報のデータを前記第２の記憶領域から取得する処理と、前記商品コード読取部から出力された商品コードに健康状態改善商品を特定する商品コードが含まれているか否かに基づいて健康状態改善商品の購入の有無を判定する処理とを実行し、健康状態改善商品の購入判定に応じて前記取得した特典情報に従った特典処理を実行し、また、前記商品販売データ処理装置の情報処理部が、健康状態の非改善判定と健康状態改善商品の購入判定とに応じて所定の特典処理を実行した旨を前記報知部に報知させるようにした。
【００１３】
さらに別の面から見た本発明の販売促進システムは、被験者の生体の状態を測定して測定値のデータを出力する測定部と、被験者を特定する固有の会員ＩＤを含むデータを記憶する記憶媒体からデータを読み取り出力する第１のリーダと、外部装置との間でデータ通信を可能にする第１の通信部と、を備える測定装置と、前記測定装置を含む外部装置との間でデータ通信を可能にする第４の通信部を備える第２の上位装置と、前記第２の上位装置を含む外部装置との間でデータ通信を可能にする第２の通信部を備える第１の上位装置と、前記第１の上位装置を含む外部装置との間でデータ通信自在にする第３の通信部と、前記記憶媒体から会員ＩＤのデータを読み取り出力する第２のリーダと、商品に付されて商品を特定する商品コードを読み取り出力する商品コード読取部と、情報を報知する報知部と、前記商品コード読取部から出力された商品コードに基づいて決済金額を算出する商品販売データ処理を実行する手段と、を備える商品販売データ処理装置と、を備え、前記測定装置の情報処理部が、前記測定部から出力された測定値のデータを、前記第１のリーダから出力された会員ＩＤのデータと共に、前記第１の通信部を介して前記第２の上位装置に向けて出力し、前記第２の上位装置の情報処理部が、前記出力された会員ＩＤ及び測定値のデータを前記第４の通信部を介して受信した場合に、当該測定値に基づいて健康状態が非改善であるか否かを判定する処理を実行し、健康状態の非改善判定に応じて、所定の特典処理を実行する旨の特典情報を生成して、当該特典情報のデータを前記受信した会員ＩＤのデータと共に、前記第４の通信部を介して前記第１の上位装置に向けて出力し、前記第１の上位装置の情報処理部が、前記出力された前記会員ＩＤ及び特典情報のデータを前記第２の通信部を介して受信して、当該会員ＩＤのデータと特典情報のデータとを対応付けて第２の記憶領域に記憶させ、前記商品販売データ処理装置の情報処理部が、前記商品販売データ処理に際して前記第２のリーダから出力された会員ＩＤのデータを取得した場合には、この会員ＩＤに対応する特典情報のデータを前記第２の記憶領域から取得する処理と、前記商品コード読取部から出力された商品コードに健康状態改善商品を特定する商品コードが含まれているか否かに基づいて健康状態改善商品の購入の有無を判定する処理とを実行し、健康状態改善商品の購入判定に応じて前記取得した特典情報に従った特典処理を実行し、また、前記商品販売データ処理装置の情報処理部が、健康状態の非改善判定と健康状態改善商品の購入判定とに応じて所定の特典処理を実行した旨を前記報知部に報知させるようにした。
【発明の効果】
【００１４】
本発明によれば、スポーツクラブ等の施設に設置された電子血圧計等の測定装置での測定値に基づいて健康状態の非改善判定がなされ、その健康状態の改善に資する健康状態改善商品の購入判定がなされた場合に、商品販売データ処理装置による商品販売データ処理に際して特典処理（例えばその商品を値引する処理）が実行され、その旨が顧客に対して報知される。そのため、この顧客に再び健康状態の非改善があった場合に、特典を望んで、この商品販売データ処理装置が導入されている売店を積極的に選んで健康状態改善商品を含む商品の購入をすることが期待できる。このようにして、測定装置が設置された施設内に設けられている売店等にユニークであり、かつ、効果的な販売促進が実現できる。
【発明を実施するための最良の形態】
【００１５】
［第１の実施形態］
本発明の第１の実施形態について図１ないし図９に基づいて説明する。本実施の形態は、スポーツクラブの施設に導入された販売促進システム１１への適用例である。
【００１６】
図１は、販売促進システム１１を示すシステム構成図である。販売促進システム１１が導入されているスポーツクラブは、施設内に併設されているトレーニングエリアと売店エリアとを主体に構成されている。本実施の形態のスポーツクラブは、固有の会員ＩＤが割り当てられた会員のみが入場が許可されるいわゆる会員制の施設である。会員には、会員を特定する会員ＩＤ等のデータが記憶された後述する記憶媒体としての会員カードＭＣ１（図２等参照）が与えられる。
【００１７】
トレーニングエリアには、会員が使用することができるランニングマシンやベンチプレス（いずれも図示せず）等の各種トレーニング器具が複数設置されている。また、本実施の形態では、トレーニングエリアの一部には、トレーニング器具とは別に、測定装置として血圧測定を行う電子血圧計２０１が設置されている。電子血圧計２０１を使用することで、会員はトレーニングの成果を血圧値として知ることができる。このような電子血圧計２０１は、机等の載置台に載置されている。
【００１８】
なお、いずれの実施形態においても、被験者の生体の状態を測定する測定装置は、電子血圧計２０１に限られることはなく、例えば、体重値を測定する電子体重計や体脂肪率を測定する電子体脂肪計のような装置であっても良い。また、これらの測定装置が全て設置されていても良い。
【００１９】
売店エリアは、トレーニングエリアでトレーニングをし終えた会員又はトレーニング中の会員が立ち寄って商品を購入するためのものである。そのため、売店エリアには、特に、健康状態の向上や疲労の回復に資する商品が重点的に販売されている。このような売店エリアには、レジカウンタ（図示せず）に載置されて、商品販売データ処理装置としてのＰＯＳ端末１０１が設置されている。また、売店エリアのバックヤードには、第１の上位装置としてのストアコントローラ３０１が設置されている。ＰＯＳ端末１０１とストアコントローラ３０１とは、一例として有線ＬＡＮであるネットワーク回線２１を介してデータ通信自在に接続されている。したがって、例えば、ストアコントローラ３０１が有する記憶装置（後述するＨＤＤ３５５等）に対して、ＰＯＳ端末１０１のＣＰＵ１５２（図７参照）は、データアクセス可能となっている。
【００２０】
さらに、本実施の形態では、電子血圧計２０１もネットワーク回線２１に接続されている。そのため、電子血圧計２０１とストアコントローラ３０１とは、ネットワーク回線２１を介してデータ通信自在となっている。
【００２１】
まず、トレーニングエリアに設置されている本実施の形態の電子血圧計２０１について説明する。
【００２２】
図２は、電子血圧計２０１を示す外観斜視図である。電子血圧計２０１は、中央部分が円筒形状に貫通したハウジング２０２を主体に構成されている。ハウジング２０２の貫通部分には、内部に生体圧迫用空気袋２０３（図３参照）を有する円筒形状のカフユニット２０４が設けられている。生体圧迫用空気袋２０３は、カフユニット２０４において周方向に巻回されている。ハウジング２０２の上面位置には、電子血圧計２０１の測定動作を開始させるためのボタン等を有する入力デバイス２０５と、測定結果等の情報表示を提供する表示デバイス２０６とがハウジング２０２と一体に設けられている。表示デバイス２０６は、一例としてＬＣＤである。さらに、電子血圧計２０１は、ハウジング２０２の背面側に位置させて、カフユニット２０４に正面側から上腕が挿通された状態で肘及び前腕を支持する支持台２０７を備えている。
【００２３】
このような電子血圧計２０１には、ＲＦＩＤタグである樹脂製の会員カードＭＣ１と通信するためのリーダライタ及び第１のリーダとしてのＲＦＩＤリーダライタ２１１が接続されている。ＲＦＩＤリーダライタ２１１には、会員カードＭＣ１をＲＦＩＤリーダライタ２１１の前面位置に配置するためのカードホルダ２１１ａが設けられている。会員カードＭＣ１には、図２中破線で図示するように、ＩＣチップＭＣ２と所定規格のタグアンテナＭＣ３とが互いに接続されて埋設されている。そして、ＩＣチップＭＣ２には、会員ＩＤを含む後述する各種データが記憶されている。ＲＦＩＤタグである会員カードＭＣ１には、例えば、１３．５６ＭＨｚの周波数帯を利用する電磁誘導方式により電力が供給される。つまり、ＲＦＩＤリーダライタ２１１の前面位置に配置された会員カードＭＣ１では、タグアンテナＭＣ３がＲＦＩＤリーダライタ２１１のアンテナ（図示せず）から出力される電波を受信して電力が発生し、ＩＣチップＭＣ２が起動する。そして、起動したＩＣチップＭＣ２は、ＲＦＩＤリーダライタ２１１との間で通信が可能となる。このような通信可能状態となって、ＲＦＩＤリーダライタ２１１はＩＣチップＭＣ２に記憶されているデータを取得したり（ＩＣチップＭＣ２に対するデータの読み取り）、ＩＣチップＭＣ２にデータを記憶させたり（ＩＣチップＭＣ２に対するデータの書き込み）することができる。ＩＣチップＭＣ２からデータを取得したＲＦＩＤリーダライタ２１１は、電子血圧計２０１のＣＰＵ２５２（図３参照）に出力する。
【００２４】
また、このような電子血圧計２０１には、ネットワーク回線２１を介して外部装置とデータ通信を実行するための第１の通信部としての通信インターフェース２７１（図３参照）も内蔵されている。
【００２５】
図３は、電子血圧計２０１のハードウェア構成を示すブロック図である。電子血圧計２０１は、各種演算処理を実行し各部を制御する情報処理部としてのＣＰＵ２５２を備えている。ＣＰＵ２５２には、プログラム等の固定データを固定的に記憶保存するＲＯＭ２５３と、可変データを書き換え自在に記憶してワークエリアとして使用されるＲＡＭ２５４とがバス接続されている。ＣＰＵ２５２とＲＯＭ２５３とＲＡＭ２５４とは、マイクロコンピュータ２５１を構成する。ＣＰＵ２５２には、前述した入力デバイス２０５、表示デバイス２０６、ＲＦＩＤリーダライタ２１１、及び、通信インターフェース２７１がいずれも各種の入出力回路（いずれも図示せず）を介して接続され、ＣＰＵ２５２によって動作制御される。
【００２６】
電子血圧計２０１は、前述した生体圧迫用空気袋２０３に接続した生体圧迫用エア系２６１を有する。そして、生体圧迫用エア系２６１は、ＣＰＵ２５２によって動作制御を受ける。生体圧迫用エア系２６１は、エアポンプ２６２と、エアバルブ２６３と、圧力センサ２６４とから構成されている。エアポンプ２６２は、エアポンプ駆動回路２６５を介してＣＰＵ２５２に接続されている。エアバルブ２６３は、エアバルブ駆動回路２６６を介してＣＰＵ２５２に接続されている。圧力センサ２６４は、増幅器２６７とＡ／Ｄコンバータ２６８とを介してＣＰＵ２５２に接続されている。
【００２７】
エアポンプ２６２は、生体圧迫用空気袋２０３の内腔２０３ａを加圧するものであり、ＣＰＵ２５２からの指令を受けたエアポンプ駆動回路２６５によって駆動され、測定に際して生体圧迫用空気袋２０３の内腔２０３ａの圧力が所定の圧力となるように圧縮気体を内腔２０３ａに送り込む。
【００２８】
エアバルブ２６３は、生体圧迫用空気袋２０３の内腔２０３ａの圧力を維持したり、あるいは減圧したりするためのものであり、ＣＰＵ２５２からの指令を受けたエアバルブ駆動回路２６６によってその開閉状態が制御され、測定時においてエアポンプ２６２によって高圧状態となった生体圧迫用空気袋２０３の内腔２０３ａの圧力の維持および減圧を行なうとともに、測定終了後において生体圧迫用空気袋２０３の内腔２０３ａを大気圧に復帰させる。
【００２９】
圧力センサ２６４は、生体圧迫用空気袋２０３の内腔２０３ａの圧力を検出するためのものであり、測定に際して変化する生体圧迫用空気袋２０３の内腔２０３ａの圧力を検出し、その検出値に応じた信号を増幅器２６７に対して出力する。増幅器２６７は、圧力センサ２６４から出力される信号を増幅し、Ａ／Ｄコンバータ２６８に出力する。Ａ／Ｄコンバータ２６８は、増幅器２６７から出力されたアナログ信号をデジタル化し、ＣＰＵ２５２に出力する。
【００３０】
したがって、生体圧迫用空気袋２０３、内腔２０３ａ、生体圧迫用エア系２６１、増幅器２６７、及び、Ａ／Ｄコンバータ２６８等は、被験者の生体の状態を測定して測定値のデータを出力する測定部２０１ａとして機能する。
【００３１】
ＣＰＵ２５２は、入力デバイス２０５に入力された指令に基づいて生体圧迫用エア系２６１の制御を行なうとともに、測定結果を表示デバイス２０６やＲＡＭ２５４等に出力する。
【００３２】
そして、第１の実施形態では、トレーニングをし終えた会員は、トレーニングエリアに設置されたこのような電子血圧計２０１を使用して、自らの血圧値を測定するのである。
【００３３】
電子血圧計２０１を用いた血圧値の測定に際しては、被験者である会員は、ハウジング２０２の貫通部分に上腕を差し込み、支持台２０７に肘及び前腕を載置させる。そして、電子血圧計２０１を作動させることにより、カフユニット２０４によって上腕の圧迫固定が行なわれ、その後、生体圧迫用空気袋２０３を膨張／収縮させることによって動脈内に生じる動脈圧脈波の検出が行なわれる。このようにして電子血圧計２０１において血圧値の測定が行なわれる。次に、このような血圧測定に際して、電子血圧計２０１のＣＰＵ２５２がＲＯＭ２５３に記憶されているプログラムに従って実行する処理について説明する。
【００３４】
図４は、第１の実施形態における電子血圧計２０１で実行される血圧測定処理の流れを示すフローチャートである。まず、被験者が電源スイッチ（図示せず）をオンにすると、電子血圧計２０１は測定可能状態へと移行する。電子血圧計２０１のＣＰＵ２５２は、測定可能状態への移行を判定したならば（ステップＳ１０１のＹ）、読取要求を表示デバイス２０６に表示させる（ステップＳ１０２）。読取要求とは、会員カードＭＣ１のＩＣチップＭＣ２に記憶されているデータをＲＦＩＤリーダライタ２１１に読み取らせるための作業を被験者に要求する情報であり、一例として「会員カードをカードホルダに置いて下さい」という文字列である。これにより会員カードＭＣ１はＲＦＩＤリーダライタ２１１の前面位置に配置される。そして、ＣＰＵ２５２の駆動制御によって、ＲＦＩＤリーダライタ２１１は、前面位置に置かれた会員カードＭＣ１との間でＲＦＩＤ通信を実行し、ＩＣチップＭＣ２に記憶されているデータを取得し、電子血圧計２０１のＣＰＵ２５２に出力する。こうして、電子血圧計２０１のＣＰＵ２５２は、会員ＩＤを取得したならば（ステップＳ１０３のＹ）、血圧測定を行なうための条件が整ったものとして、次に、エアポンプ２６２の駆動制御を開始し、生体圧迫用空気袋２０３の内腔２０３ａの圧力を徐々に上昇させる（ステップＳ１０４）。内腔２０３ａの圧力を徐々に加圧する過程において、内腔２０３ａの圧力が血圧測定のために必要な所定のレベルにまで達すると、電子血圧計２０１のＣＰＵ２５２はエアポンプ２６２を停止し、次いで閉じていたエアバルブ２６３を徐々に開いて生体圧迫用空気袋２０３の空気を徐々に排気し、内腔２０３ａの圧力を徐々に減圧させる（ステップＳ１０５）。そして次に、電子血圧計２０１のＣＰＵ２５２は、周知の処理手順で血圧値（最大血圧値、最小血圧値）を算出する（ステップＳ１０６）。より詳細には、電子血圧計２０１のＣＰＵ２５２は、内腔２０３ａの圧力が徐々に減圧する過程で、抽出した脈波情報に基づいて血圧値を算出する。そして、ＣＰＵ２５２は、算出した血圧値を表示デバイス２０６に表示させ（ステップＳ１０７）、さらに、ＲＦＩＤリーダライタ２１１を駆動制御して、算出した血圧値のデータを測定日時のデータと共に会員カードＭＣ１のＩＣチップＭＣ２に記憶させる（ステップＳ１０８）。そのため、本実施の形態の電子血圧計２０１は図示しない時計回路を備えており、ＣＰＵ２５２はこの時計回路から現在日時を測定日時として取得する。その後、電子血圧計２０１のＣＰＵ２５２は、エアバルブ２６３を開くことにより、生体圧迫用空気袋２０３の内腔２０３ａを大気解放させる（ステップＳ１０９）。
【００３５】
このようにして電子血圧計２０１で測定された血圧値がＩＣチップＭＣ２に記憶される会員カードＭＣ１について、次に説明する。
【００３６】
図５は、第１の実施形態における会員カードＭＣ１のＩＣチップＭＣ２のデータ構成を示す模式図である。前述したように、会員カードＭＣ１のＩＣチップＭＣ２には、会員に割り当てられて会員を特定する会員ＩＤ（ＸＸＸＸ）のデータが記憶されている。さらに、図５に示すように、ＩＣチップＭＣ２には、電子血圧計２０１で測定された血圧値（ＸＸＸ／ＸＸｍｍＨｇ）のデータが測定日時（ＸＸＸＸ年ＸＸ月ＸＸ日）のデータと対応付けて記憶されている。本実施の形態のＩＣチップＭＣ２は、最新５件の血圧値データを記憶する。したがって、会員カードＭＣ１のＩＣチップＭＣ２に血圧値データを記憶させる際（図４のフローチャートのステップＳ１０８参照）、ＩＣチップＭＣ２に既に５件の血圧値データが記憶されている場合には、ＩＣチップＭＣ２から最も古い血圧値データを消去させることになる。なお、ＩＣチップＭＣ２が記憶可能な血圧値データは５件に限られることはなく、また、ＩＣチップＭＣ２はさらに別の医療データ（体重値データ、体脂肪率データ等）を記憶可能であっても良い。
【００３７】
さらに本実施の形態のＩＣチップＭＣ２は、特典フラグのデータについても記憶する。特典フラグは「０」又は「１」として記憶される。ＰＯＳ端末１０１のＣＰＵ１５２（図７参照）は、特典フラグ「１」を特典付与済として解釈し、特典フラグ「０」を特典付与済ではないと解釈する。つまり、詳細は後に述べるが、ＰＯＳ端末１０１で実行される商品販売データ処理（図８参照）においては、ＩＣチップＭＣ２に記憶されている５件の血圧値のデータ内容に応じて、所定の特典処理を実行する旨の情報である特典情報が生成されて、この特典情報に従った特典処理がなされるのである。そして、特典情報が生成された場合には、この５件の血圧値に基づいて会員顧客に特典が付与されたものとして、特典フラグとして「１」が記憶されるのである。そのため、デフォルト設定では、特典フラグとして「０」が記憶されている。
【００３８】
このように特典フラグは、現状の５件の血圧値に基づく情報であるため、図４のフローチャートのステップＳ１０８で、新たに１件が記憶されて血圧値のデータが更新される場合等には、電子血圧計２０１のＣＰＵ２５２は、特典フラグ「１」をゼロクリアするようにする。
【００３９】
次に、売店エリアに設置されている本実施の形態のＰＯＳ端末１０１について説明する。
【００４０】
図６は、ＰＯＳ端末１０１を示す外観斜視図である。ＰＯＳ端末１０１は、ドロワ１０２の上に載置されており、ドロワ１０２の引出し１０３の開放動作を制御することができる。ＰＯＳ端末１０１の上面には、情報を表示する表示部としてオペレータ用表示器１０５と客用表示器１０７とが立設されている。オペレータ用表示器１０５の画面上には、タッチパネル１０８が積層配置されている。タッチパネル１０８は、オペレータ用表示器１０５の表示内容に従った情報入力をＰＯＳ端末１０１のオペレータに行わせるための入力部として機能する。オペレータ用表示器１０５の左側には、情報を報知する報知部としてのレシートプリンタ１０６が配列されている。レシートプリンタ１０６からは、レシートＲＴが印刷発行される。オペレータ用表示器１０５の手前側（下側）には、ＰＯＳ端末１０１に情報を入力するためのキーボード１０４が設けられている。キーボード１０４は、例えば、上面に数字が印字された数字を入力するためのテンキー、上面に「小計」と印字された仮締めキー、上面に「預／現計」と印字された締めキー等を含んでいる。キーボード１０４の右側には、クレジットカード等の磁気カードから情報を読み取るためのカード読取溝１１０が設けられている。つまり、カード読取溝１１０に沿って磁気カードをスライドさせることにより、ＰＯＳ端末１０１に内蔵されているカードリーダライタ１０９（図７参照）によって磁気カードの磁気ストライプに記憶されている情報が読取される。
【００４１】
また、図６に示すように、ＰＯＳ端末１０１には、バーコード等のコードシンボルを読み取る商品コード読取部としてのコードリーダ１１１が接続されている。コードリーダ１１１は、読取口１１１ａを有し、この読取口１１１ａの前面に形成される読取空間に所定パターンの可視光半導体レーザを照射する。コードリーダ１１１は、読取空間に物品が位置付けられてその物品に付されたコードシンボルが読取口１１１ａに向けられると、コードシンボルからの反射光を受光素子（例えばＣＣＤ）が受光する。そして、コードリーダ１１１は、受光素子の出力信号に基づくコードシンボルの受光信号をデコードし、そのコードシンボルが記述する情報（例えば、商品を特定する商品コード）を取得し、ＰＯＳ端末１０１のＣＰＵ１５２（図７参照）に出力する。商品コードは、例えばＪＡＮ等のバーコードの形態で商品の包装等に印刷されている。
【００４２】
さらに、図６に示すように、ＰＯＳ端末１０１には、リーダ及び第２のリーダとしてのＲＦＩＤリーダライタ１１２も接続されている。カードホルダ１１２ａを有するこのＲＦＩＤリーダライタ１１２は、前述したＲＦＩＤリーダライタ２１１と同じものであるため、説明は省略する。また、このようなＰＯＳ端末１０１には、ネットワーク回線２１を介して外部装置とデータ通信を実行するための第３の通信部としての通信インターフェース１１３（図７参照）も内蔵されている。
【００４３】
図７は、ＰＯＳ端末１０１のハードウェア構成を示すブロック図である。ＰＯＳ端末１０１は、各種演算処理を実行し各部を制御する情報処理部としてのＣＰＵ１５２を備えている。ＣＰＵ１５２には、プログラム等の固定データを固定的に記憶保存するＲＯＭ１５３と、可変データを書き換え自在に記憶してワークエリアとして使用されるＲＡＭ１５４と、ＨＤＤ１５５とがバス接続されている。ＣＰＵ１５２とＲＯＭ１５３とＲＡＭ１５４とは、マイクロコンピュータ１５１を構成する。
【００４４】
ＣＰＵ１５２には、前述したドロワ１０２、キーボード１０４、オペレータ用表示器１０５、レシートプリンタ１０６、客用表示器１０７、タッチパネル１０８、カードリーダライタ１０９、コードリーダ１１１、ＲＦＩＤリーダライタ１１２、通信インターフェース１１３が、いずれも各種の入出力回路（いずれも図示せず）を介して接続され、ＣＰＵ１５２によって動作制御される。
【００４５】
ＨＤＤ１５５には、プログラムや各種ファイル（いずれも図示せず）が記憶されている。ＨＤＤ１５５に記憶されているプログラムの一例は、商品販売データ処理用のプログラム（図示せず）である。ＨＤＤ１５５に記憶されているファイルの一例は、商品コードに対応付けて商品情報（商品名、単価等）を記憶する商品データファイル（図示せず）である。このようなＨＤＤ１５５に記憶されているプログラムや各種ファイルは、ＰＯＳ端末１０１の起動時に、その全部又は一部がＲＡＭ１５４にコピーされて使用される。
【００４６】
本実施の形態のＰＯＳ端末１０１のＣＰＵ１５２は、プログラムに従い、取引において商品販売データ処理を実行する。ここで、商品販売データ処理は、その詳細については図８に基づいて説明するが、概略的には、ＰＯＳ端末１０１のＣＰＵ１５２が、コードリーダ１１１から出力される商品コードに基づいて単価を含む商品情報を取得して、決済金額を算出する処理である。
【００４７】
このような商品販売データ処理は、会員カードＭＣ１を所有する会員である顧客が売店エリアに立ち寄って商品を購入する際に、キャッシャの操作によってＰＯＳ端末１０１において開始されるのである。このとき、顧客は、売店エリアに立ち寄る直前に、トレーニングエリアに設置された電子血圧計２０１を使用して自らの血圧測定を行っている場合がある。
【００４８】
図８は、第１の実施形態におけるＰＯＳ端末１０１で実行される商品販売データ処理の流れを示すフローチャートである。まず、所定の操作によって商品販売データ処理が開始されると、ＰＯＳ端末１０１のＣＰＵ１５２は、ＲＦＩＤリーダライタ１１２の会員カードＭＣ１の読み取りに基づくデータの取得に待機する（ステップＳ１５１）。そのため、このＰＯＳ端末１０１のオペレータであるキャッシャは、まず、会員である顧客に対して、会員カードＭＣ１をＲＦＩＤリーダライタ１１２のカードホルダ１１２ａに置くことを要求する。これにより会員カードＭＣ１はＲＦＩＤリーダライタ１１２の前面位置に配置される。そして、ＣＰＵ１５２の駆動制御によって、ＲＦＩＤリーダライタ１１２は、前面位置に置かれた会員カードＭＣ１との間でＲＦＩＤ通信を実行し、ＩＣチップＭＣ２に記憶されているデータを取得し、ＰＯＳ端末１０１のＣＰＵ１５２に出力する。
【００４９】
ＲＦＩＤリーダライタ１１２から出力されたデータを取得したならば（ステップＳ１５１のＹ）、ＰＯＳ端末１０１のＣＰＵ１５２は、取得したデータをＲＡＭ１５４に一時記憶させる。ここで、会員カードＭＣ１のＩＣチップＭＣ２にはデータとして、会員ＩＤ、血圧値、及び、特典フラグが記憶されているため（図５参照）、ＰＯＳ端末１０１のＣＰＵ１５２は、会員ＩＤ、血圧値、及び、特典フラグのデータを取得することになる。
【００５０】
まず、ＰＯＳ端末１０１のＣＰＵ１５２は、ステップＳ１５１で取得したデータに含まれている特典フラグに基づいて、特典付与済か否かを判定する（ステップＳ１５２）。ここで、ＰＯＳ端末１０１のＣＰＵ１５２は、前述したように、特典フラグ「１」を特典付与済として解釈し、特典フラグ「０」を特典付与済ではないと解釈する。
【００５１】
そして、特典フラグ「０」であることにより、特典付与済ではないと判定したならば（ステップＳ１５２のＹ）、次に、ＰＯＳ端末１０１のＣＰＵ１５２は、ステップＳ１５１で取得したデータに含まれている血圧値に基づいて、健康状態が非改善であるか否かを判定する（ステップＳ１５３）。
【００５２】
ここで、健康状態が非改善であるか否かの判定について説明する。本実施の形態では、高血圧状態から一度改善が見られたものの再び高血圧状態に復帰してしまった場合に、健康状態（高血圧）の非改善判定がなされる。
【００５３】
つまり、本実施の形態では、５件の「血圧値」における最大血圧値（ｍｍＨｇ）についいて、「測定日時」が最も古い１件目の最大血圧値（ｍｍＨｇ）と「測定日時」が最も新しい５件目の最大血圧値（ｍｍＨｇ）とが共に１４０ｍｍＨｇ以上の値であり、両者に挟まれた２〜４件目の最大血圧値（ｍｍＨｇ）について１件でも１４０ｍｍＨｇ未満の値がある場合に、健康状態（高血圧）の非改善判定がなされる（ステップＳ１５３のＹ）。
【００５４】
例えば、５件の「血圧値」における最大血圧値（ｍｍＨｇ）が「測定日時」の順に「１４０」「１４１」「１３０」「１３１」「１２９」である場合には、健康状態（この場合には高血圧）が非改善であるとは判定されない。一方で、最大血圧値（ｍｍＨｇ）が「測定日時」の順に「１４０」「１３６」「１４１」「１４１」「１４０」である場合には、健康状態が非改善であると判定される。
【００５５】
また、本実施の形態では、このような５件の最大血圧値の推移の他は、健康状態（高血圧）の非改善判定はなされない（ステップＳ１５３のＮ）。つまり、５件の最大血圧値が全て１４０ｍｍＨｇ以上の値である場合には、健康状態（高血圧）の非改善判定はなされないことになる。
【００５６】
なお、記憶されている「血圧値」（及び「測定日時」）が５件以下である場合には、その記憶されている数値に関係なく、健康状態の非改善判定はなされない（ステップＳ１５３のＮ）。
【００５７】
ステップＳ１５３で健康状態の非改善を判定した場合には（ステップＳ１５３のＹ）、ＰＯＳ端末１０１のＣＰＵ１５２は、所定の特典処理を実行する旨の情報である特典情報のデータを生成して、生成した特典情報のデータをＲＡＭ１５４に一時記憶させる（ステップＳ１５４）。
【００５８】
ここで、特典処理は、一例として、高血圧の改善作用がある商品の商品コードの取得（ステップＳ１５６参照）がなされた場合に、決済金額（ステップＳ１５９参照）から所定金額（例えば５０円）を値引する値引処理である。つまり、会員である顧客の健康状態（高血圧）の改善が見られない場合に、その顧客がその健康状態についての改善作用のある商品（以下、健康状態改善商品と呼ぶ）を購入したならば、決済金額から値引がなされるのである。したがって、ステップＳ１５４でＰＯＳ端末１０１のＣＰＵ１５２が生成する特典情報は、健康状態改善商品についての１又は２以上商品コードを含んでいる。そのため、特典情報のデータを生成する処理の実行主体（本実施の形態ではＰＯＳ端末１０１）の所定の記憶部には、これらの商品コードについての情報が記憶されている。本実施の形態でＰＯＳ端末１０１のＣＰＵ１５２が生成する特典情報は、摂取により血圧を低下させる成分を含有する所定の茶飲料（商品名「××××茶」）を特定する商品コードを１つだけ含んでいるものとする。
【００５９】
なお、健康状態改善商品は、一例として、身体の生理学的機能等に影響を与える保健機能成分を含み、特定の保健の目的が期待できるいわゆる特定保健用食品である。
【００６０】
次に、ＰＯＳ端末１０１のＣＰＵ１５２は、ＲＦＩＤリーダライタ１１２を駆動制御して会員カードＭＣ１と通信を実行させて、会員カードＭＣ１のＩＣチップＭＣ２に特典付与済を示す特典フラグ「１」を記憶させる（ステップＳ１５５）。これにより、会員である顧客に対して、同じ血圧値のデータに基づいて繰り返し特典が与えられることが防止される。
【００６１】
そして、ＰＯＳ端末１０１のＣＰＵ１５２は、商品コードを記述するバーコードを読み取ったコードリーダ１１１からの商品コードの出力に基づく商品コードの取得に待機する（ステップＳ１５６）。
【００６２】
なお、ＰＯＳ端末１０１のＣＰＵ１５２は、ステップＳ１５１でＲＦＩＤリーダライタ１１２による会員カードＭＣ１の読み取りが行われずに、データを取得しなかった場合には（ステップＳ１５１のＮ）、続くステップＳ１５２〜ステップＳ１５５の処理をスキップして商品コードの取得を待機する（ステップＳ１５６）。
【００６３】
また、ＰＯＳ端末１０１のＣＰＵ１５２は、ステップＳ１５２で特典付与済を判定した場合には（ステップＳ１５２のＮ）、続くステップＳ１５３〜ステップＳ１５５の処理をスキップして商品コードの取得を待機する（ステップＳ１５６）。
【００６４】
さらに、ＰＯＳ端末１０１のＣＰＵ１５２は、ステップＳ１５３で健康状態の非改善判定をしなかった場合には（ステップＳ１５３のＮ）、続くステップＳ１５４とステップＳ１５５との処理をスキップして商品コードの取得を待機する（ステップＳ１５６）。
【００６５】
ＰＯＳ端末１０１のＣＰＵ１５２は、コードリーダ１１１から出力された商品コードを取得したならば（ステップＳ１５６のＹ）、この商品コードをＲＡＭ１５４に一時記憶させ、この商品コードに対応する商品情報（単価、商品名等）を商品データファイル（図示せず）から取得して、ＲＡＭ１５４に一時記憶させる（ステップＳ１５７）。ステップＳ１５６とステップＳ１５７との処理は、キーボード１０４が有する「小計」と表示された仮締めキーが押下されて仮締め宣言がなされるまで（ステップＳ１５８のＹ）、繰り返し実行される。
【００６６】
このとき、ステップＳ１５６では、健康状態改善商品（商品名「××××茶」）にバーコードの形態で付された商品コードの読み取りがコードリーダ１１１によってなされたならば、この商品コードのデータがコードリーダ１１１から出力される。そして、ＰＯＳ端末１０１のＣＰＵ１５２は、この健康状態改善商品（商品名「××××茶」）についての商品コードのデータを取得してＲＡＭ１５４に記憶させ、この商品コードに基づいて、「××××茶」についての商品情報（商品名、単価等）のデータを商品データファイルから取得して、ＲＡＭ１５４に記憶させる。
【００６７】
ＰＯＳ端末１０１のＣＰＵ１５２は、仮締めキーの押下による仮締めの宣言を判定したならば（ステップＳ１５８のＹ）、ＲＡＭ１５４に一時記憶されている単価に基づいて決済金額を算出して、これをＲＡＭ１５４に一時記憶させる（ステップＳ１５９）。なお、決済金額は、基本的には単価の合計金額と同値である。
【００６８】
次に、ＰＯＳ端末１０１のＣＰＵ１５２は、ＲＡＭ１５４に記憶されている特典情報の有無を判定する（ステップＳ１６０）。ＲＡＭ１５４に特典情報のデータが記憶されており、特典情報が有ると判定した場合には（ステップＳ１６０のＹ）、ＰＯＳ端末１０１のＣＰＵ１５２は、ＲＡＭ１５４に記憶されているこの特典情報に含まれている健康状態改善商品の商品コードと同一の商品コードがＲＡＭ１５４に記憶されているか否かを判定することにより顧客が健康状態改善商品を購入したか否かについて判定する（ステップＳ１６１）。そして、特典情報に含まれている健康状態改善商品の商品コードと同一の商品コードがＲＡＭ１５４に記憶されていることにより、健康状態改善商品の購入判定をした場合には（ステップＳ１６１のＹ）、ＰＯＳ端末１０１のＣＰＵ１５２は、ＲＡＭ１５４に記憶されているこの特典情報に従った特典処理を実行する（ステップＳ１６２）。本実施の形態の特典処理は、前述したように、ステップＳ１５６で健康状態改善商品（商品名「××××茶」）を特定する商品コードのデータを取得してＲＡＭ１５４に記憶させている場合に、ステップＳ１５９で算出した決済金額から所定金額（例えば５０円）を値引する値引処理である。したがって、ステップＳ１６２では、ＰＯＳ端末１０１のＣＰＵ１５２は、ＲＡＭ１５４に記憶されている決済金額から値引をして、この値引処理によって得られた金額を新たな決済金額とし、これをＲＡＭ１５４に記憶させる。
【００６９】
一方、ステップＳ１６０で、ＲＡＭ１５４に特典情報のデータが記憶されておらず、ＰＯＳ端末１０１のＣＰＵ１５２が、特典情報が無いと判定した場合には（ステップＳ１６０のＮ）、健康状態改善商品を特定する商品コードの有無判定（ステップＳ１６１）及び特典処理（ステップＳ１６２）を実行しない。
【００７０】
また、ステップＳ１６０で、ＲＡＭ１５４に特典情報のデータが記憶されていて、ＰＯＳ端末１０１のＣＰＵ１５２が、特典情報が有ると判定した場合であっても（ステップＳ１６０のＹ）、その特典情報に含まれる健康状態改善商品の商品コードと同一の商品コードがＲＡＭ１５４に記憶されておらず、健康状態改善商品の購入判定をしない場合には（ステップＳ１６１のＮ）、ＰＯＳ端末１０１のＣＰＵ１５２は、特典処理（ステップＳ１６２）を実行しない。
【００７１】
そして、ＰＯＳ端末１０１のＣＰＵ１５２は、キーボード１０４の「預／現計」と表示された締めキーの押下による締め宣言を待機し（ステップＳ１６３）、締め宣言がなされたと判定したならば（ステップＳ１６３のＹ）、ドロワ１０２を駆動制御してドロワ１０２に引出し１０３を開放させる（ステップＳ１６４）。次に、ＰＯＳ端末１０１のＣＰＵ１５２は、この取引において商品販売データ処理の実行中に取得又は生成してＲＡＭ１５４に記憶させた取引情報（単価、商品名、決済金額等）を文字化して、レシートプリンタ１０６を駆動制御してレシート用紙にこの取引情報を印刷させ、レシートＲＴ（図９参照）として発行させる（ステップＳ１６５）。このとき、ＰＯＳ端末１０１のＣＰＵ１５２は、健康状態の非改善判定と健康状態改善商品の購入判定とに応じて特典処理を実行した旨の情報についても、レシートＲＴに印刷させる。その後、ＲＡＭ１５４に記憶された取引情報は、ＨＤＤ１５５に設けられている図示しないジャーナルファイル内に格納される。
【００７２】
図９は、レシートＲＴを示す正面図である。図９に示すように、レシートＲＴの上方領域には、ロゴとして「○△スポーツクラブ  売店エリア」という文字列が印刷されている。この「○△スポーツクラブ  売店エリア」は、ＰＯＳ端末１０１が導入されている売店エリアの名称である。
【００７３】
さらに、レシートＲＴの中央領域には、図８のフローチャートのステップＳ１５７で取得された健康状態改善商品「××××茶」の商品情報である商品名「××××茶」と単価「￥１７０」とが印刷されている。また、図８のフローチャートのステップＳ１６２で実行された特典処理（値引処理）の内容が「値引  −￥５０」として印刷されている。なお、図９中、レシートＲＴに印刷されたその他の取引情報（単価、商品名等）や決済金額等については省略して示している。
【００７４】
そして、レシートＲＴにおける下方領域には、健康状態の非改善判定と健康状態改善商品の購入判定とに応じて特典処理を実行した旨の情報が印刷されている。この旨は、図９中では、一例として、「「××××茶」ご購入ありがとうございます  高血圧改善が見られませんでしたので  ５０円値引サービスいたします」という文字情報として印刷されている。また、より直接的な表現（例えば「高血圧改善が見られませんでした  「××××茶」のご購入が確認されました  「××××茶」を５０円値引サービス致しました」というような文字情報）であってもよい。または別の表現であってもよい。これは、以下の実施例でも同様である。
【００７５】
このようなレシートＲＴを見た会員顧客は、健康状態（高血圧）が改善されなかった際にこの健康状態の改善に資する健康状態改善商品を購入したことにより特典付与（この場合、健康状態改善商品についての値引）がなされたことを知ることができる。そして、第１の実施形態によれば、この会員顧客に再び健康状態の非改善があった場合に、この会員顧客が特典を望んで、スポーツクラブ外の小売店ではなく、スポーツクラブ施設内のこの売店エリアを積極的に選択して、この健康状態改善商品を含む商品の購入をすることが期待される。このようにして、電子血圧計２０１が設置されたスポーツクラブの施設内に設けられている売店にユニークであり、かつ、効果的な販売が実現される。
【００７６】
［第２の実施形態］
本発明の第２の実施形態について図１０ないし図１４に基づいて説明する。第１の実施形態と同一の部分は同一の符号で示し、説明も省略する。
【００７７】
第２の実施形態の販売促進システム１１は、第１の実施形態と同様のシステム構成（図１参照）を有している。したがって、電子血圧計２０１及びＰＯＳ端末１０１の外観とハードウェア構成とについては、第１の実施形態と同様である（図２、図３、図６、及び、図７参照）。
【００７８】
次に、第２の実施形態と第１の実施形態との相違点を概略的に説明する。第２の実施形態における会員カードＭＣ１のＩＣチップＭＣ２は、会員ＩＤのデータのみを記憶し、第１の実施形態のように測定日時、血圧値、特典フラグのデータを記憶しない。
【００７９】
そして、第２の実施形態では、測定日時、血圧値、特典フラグのデータは、会員ＩＤのデータに対応付けてストアコントローラ３０１が内蔵するＨＤＤ３５５（図１０参照）に記憶されるのである。より詳細には、ＨＤＤ３５５に形成される第１の記憶領域としての測定データファイルＦ１（図１３参照）に記憶されるのである。そのため、第２の実施形態では、ストアコントローラ３０１の構成（図１０参照）、処理（図１２参照）、測定データファイルＦ１（図１３参照）について以下に説明する。
【００８０】
また、上記したように、第２の実施形態では、電子血圧計２０１が測定した血圧値等のデータがストアコントローラ３０１に記憶されるため、電子血圧計２０１における処理も第１の実施形態と相違する点がある。したがって、電子血圧計２０１の処理についても以下に説明する（図１１参照）。
【００８１】
そして、第２の実施形態では、ＰＯＳ端末１０１のＣＰＵ１５２は、第１の実施形態とは異なり、測定データファイルＦ１に記憶されているデータに基づいて健康状態の非改善判定等をすることになる。そこで、第２の実施形態においてＰＯＳ端末１０１で実行される処理についても以下に説明する（図１４参照）。
【００８２】
まず、ストアコントローラ３０１のハードウェア構成について説明する。
【００８３】
図１０は、ストアコントローラ３０１のハードウェア構成を示すブロック図である。ストアコントローラ３０１は、各種演算処理を実行し各部を制御する情報処理部としてのＣＰＵ３５２を備えている。ＣＰＵ３５２には、プログラム等の固定データを固定的に記憶保存するＲＯＭ３５３と、可変データを書き換え自在に記憶してワークエリアとして使用されるＲＡＭ３５４と、ＨＤＤ３５５とがバス接続されている。ＨＤＤ３５５には、後述する各種ファイルやプログラムが形成されている。ＣＰＵ３５２とＲＯＭ３５３とＲＡＭ３５４とは、マイクロコンピュータ３５１を構成する。また、ストアコントローラ３０１には、ネットワーク回線２１を介して外部装置とデータ通信を実行するための第２の通信部としての通信インターフェース３５６も内蔵されており、この通信インターフェース３５６もＣＰＵ３５２にバス接続されている。ＣＰＵ３５２は、プログラムに従って各種処理を実行する。
【００８４】
そして、第２の実施形態においても、トレーニングをし終えた会員は、トレーニングエリアに設置された電子血圧計２０１を使用して、自らの血圧値を測定するのである。
【００８５】
図１１は、第２の実施形態における電子血圧計２０１で実行される血圧測定処理の流れを示すフローチャートである。本実施の形態の血圧測定処理におけるステップＳ２０１〜ステップＳ２０７、ステップＳ２０９の処理は、図４に基づいて説明した第１の実施形態におけるステップＳ１０１〜ステップＳ１０７、ステップＳ１０９の処理とそれぞれ処理内容が同じであるので説明を省略する。
【００８６】
そして、本実施の形態では、電子血圧計２０１のＣＰＵ２５２は、ステップＳ２０７（血圧値の表示デバイス２０６への表示）に続く処理として、ステップＳ２０１で取得した会員ＩＤのデータと、ステップＳ２０６で算出した血圧値のデータとを、測定日時のデータと共に、通信インターフェース２７１を介して、ストアコントローラ３０１を送信先として出力させる（ステップＳ２０８）。
【００８７】
図１２は、第２の実施形態におけるストアコントローラ３０１で実行される処理の流れを示すフローチャートである。ストアコントローラ３０１のＣＰＵ３５２は、電子血圧計２０１から送信出力されたデータを、通信インターフェース３５６を介して受信したならば（ステップＳ２１１のＹ）、受信したデータをＨＤＤ３５５に形成された測定データファイルＦ１（図１３参照）に記憶させる（ステップＳ２１２）。
【００８８】
図１３は、測定データファイルＦ１のデータ構成を示す模式図である。測定データファイルＦ１は、図５に基づいて説明した第１の実施形態におけるＩＣチップＭＣ２と同様のデータ構成を有している。つまり、測定データファイルＦ１は、会員ＩＤのデータを記憶し、測定日時と血圧値とのデータを対応付けて記憶し、さらに、特典フラグを記憶する。このとき、会員ＩＤに対応付けて、測定日時及び血圧値と特典フラグとが記憶される。そして、このような測定データファイルＦ１は、会員ＩＤ毎に複数形成されている。
【００８９】
図１２のフローチャートのステップＳ２１２では、ストアコントローラ３０１のＣＰＵ３５２は、ステップＳ２１１で受信したデータに含まれる会員ＩＤと同一の会員ＩＤを記憶する測定データファイルＦ１を探し出し、探し出した測定データファイルＦ１に対して、ステップＳ２１１で受信したデータに含まれる測定日時と血圧値とを記憶させる。このとき、受信したデータに含まれる会員ＩＤと同一の会員ＩＤを記憶する測定データファイルＦ１が形成されていない場合には、ストアコントローラ３０１のＣＰＵ３５２は、受信した会員ＩＤについての新規な測定データファイルＦ１をＨＤＤ３５５に形成する。また、測定データファイルＦ１に測定日時及び血圧値のデータを記憶させる際に、既に５件の測定日時及び血圧値データが記憶されている場合には、最も古いデータを消去させることになる。なお、測定データファイルＦ１については、ＩＣチップＭＣ２（図５参照）と同様に、記憶可能な測定日時及び血圧値のデータは５件に限られることはなく、また、さらに別の医療データ（体重値データ、体脂肪率データ等）が記憶可能でも良い。そして、図１２のフローチャートのステップＳ２１２で、新たに１件が記憶されて血圧値のデータが更新される場合等には、ストアコントローラ３０１のＣＰＵ３５２は、特典フラグ「１」をゼロクリアするようにする。
【００９０】
次に、第２の実施形態の商品販売データ処理について図１４に基づいて説明する。このような商品販売データ処理は、会員カードＭＣ１を所有する会員である顧客が売店エリアで商品を購入する際に、ＰＯＳ端末１０１において実行される。このとき、第１の実施形態と同様に、顧客は、売店エリアに立ち寄る直前に、トレーニングエリアに設置された電子血圧計２０１を使用して自らの血圧測定を行っている場合がある。
【００９１】
図１４は、第２の実施形態におけるＰＯＳ端末１０１で実行される商品販売データ処理の流れを示すフローチャートである。ＰＯＳ端末１０１のＣＰＵ１５２は、所定の操作によって商品販売データ処理が開始されると、ＲＦＩＤリーダライタ１１２の会員カードＭＣ１の読み取りに基づくデータの取得に待機する（ステップＳ２５１）。このとき、キャッシャは、会員である顧客に対して、会員カードＭＣ１をカードホルダ１１２ａにセットするように促す。前述したように本実施の形態では、会員カードＭＣ１のＩＣチップＭＣ２には会員ＩＤのデータのみが記憶されているため、ステップＳ２５１では、ＰＯＳ端末１０１のＣＰＵ１５２は、会員ＩＤのデータのみを取得することになる。そして、ＲＦＩＤリーダライタ１１２から会員ＩＤのデータを取得したならば（ステップＳ２５１のＹ）、本実施の形態では、ＰＯＳ端末１０１のＣＰＵ１５２は、ストアコントローラ３０１のＨＤＤ３５５にデータアクセスし、取得した会員ＩＤに基づいて測定データファイルＦ１を検索して、この会員ＩＤに対応する測定日時、血圧値、特典フラグのデータを取得する（ステップＳ２５２）。取得したデータは、ＲＡＭ１５４に記憶される。
【００９２】
次に、ＰＯＳ端末１０１のＣＰＵ１５２は、ステップＳ２５２で取得したデータに含まれる特典フラグに基づいて、特典付与済であるか否かを判定する（ステップＳ２５３）。このとき、特典フラグが「０」であることにより特典付与済でないことを判定したならば（ステップＳ２５３のＹ）、ＰＯＳ端末１０１のＣＰＵ１５２は、ステップＳ２５２で取得したデータに含まれる測定日時及び血圧値に基づいて、健康状態が非改善であるか否かについて判定する（ステップＳ２５４）。健康状態が非改善であるか否かの判定は、図８（ステップＳ１５３参照）に基づいて説明した処理内容と同様に行われる。このとき、健康状態の非改善判定をしたならば（ステップＳ２５４のＹ）、ＰＯＳ端末１０１のＣＰＵ１５２は、特典情報のデータを生成してＲＡＭ１５４に記憶させ（ステップＳ２５５）、ストアコントローラ３０１のＨＤＤ３５５にデータアクセスして、ステップＳ２５１で取得したデータに含まれる会員ＩＤに対応する測定データファイルＦ１に対して、特典フラグ「１」を記憶させる（ステップＳ２５６）。そして、商品コードの取得に待機する（ステップＳ２５７）。
【００９３】
なお、ＰＯＳ端末１０１のＣＰＵ１５２は、ステップＳ２５１でＲＦＩＤリーダライタ１１２による会員カードＭＣ１の読み取りが行われずに、データを取得しなかった場合には（ステップＳ２５１のＮ）、続くステップＳ２５２〜ステップＳ２５６の処理をスキップして商品コードの取得を待機する（ステップＳ２５７）。
【００９４】
また、ＰＯＳ端末１０１のＣＰＵ１５２は、ステップＳ２５３で特典付与済を判定した場合には（ステップＳ２５３のＮ）、続くステップＳ２５４〜ステップＳ２５６の処理をスキップして商品コードの取得を待機する（ステップＳ２５７）。
【００９５】
さらに、ＰＯＳ端末１０１のＣＰＵ１５２は、ステップＳ２５４で健康状態の非改善判定をしなかった場合には（ステップＳ２５４のＮ）、続くステップＳ２５５とステップＳ２５６との処理をスキップして商品コードの取得を待機する（ステップＳ２５７）。
【００９６】
ステップＳ２５７以下の処理（ステップＳ２５７〜ステップＳ２６６）については、第１の実施形態における図８のフローチャートステップＳ１５６〜ステップＳ１６５の処理と同様の処理であるので、説明は省略する。
【００９７】
そして、第２の実施形態においても、第１の実施形態で説明したようなレシートＲＴ（図９参照）の発行が行われる（ステップＳ２６６）。つまり、発行されるレシートＲＴには、健康状態の非改善判定と健康状態改善商品の購入判定とに応じて特典処理を実行した旨の情報（一例として、「「××××茶」ご購入ありがとうございます  高血圧改善が見られませんでしたので  ５０円値引サービスいたします」という文字情報）が印刷されているのである。
【００９８】
したがって、第２の実施形態においても、レシートＲＴを見た会員顧客は、健康状態（高血圧）が改善されなかった際にこの健康状態の改善に資する健康状態改善商品を購入したことにより特典付与（この場合、健康状態改善商品についての値引）がなされたことを知ることができる。そして、第２の実施形態によれば、この会員顧客に再び健康状態の非改善があった場合に、この会員顧客が特典を望んで、スポーツクラブ外の小売店ではなく、スポーツクラブ施設内のこの売店エリアを積極的に選択して、この健康状態改善商品を含む商品の購入をすることが期待される。このようにして、電子血圧計２０１が設置されたスポーツクラブの施設内に設けられている売店にユニークであり、かつ、効果的な販売が実現される。
【００９９】
［第３の実施形態］
本発明の第３の実施形態について図１５ないし図１７に基づいて説明する。他の実施形態と同一の部分は同一の符号で示し、説明も省略する。
【０１００】
第３の実施形態の販売促進システム１１は、第１の実施形態と同様のシステム構成（図１参照）を有している。したがって、電子血圧計２０１及びＰＯＳ端末１０１の外観とハードウェア構成とについては、第１の実施形態と同様である（図２、図３、図６、及び、図７参照）。そして、ストアコントローラ３０１のハードウェア構成については、第２の実施形態と同様である（図１０参照）。
【０１０１】
また、第３の実施形態では、第２の実施形態と同様に、会員カードＭＣ１のＩＣチップＭＣ２は、会員ＩＤのデータのみを記憶し、第１の実施形態のように測定日時、血圧値、特典フラグのデータを記憶しない。そして、測定日時、血圧値、特典フラグのデータについては、第２の実施形態と同様に、会員ＩＤのデータに対応付けて測定データファイルＦ１に記憶される。
【０１０２】
第３の実施形態が、第１及び第２の実施形態と相違する点は、健康状態が非改善であるか否かの判定等をストアコントローラ３０１のＣＰＵ３５２が実行する点である（第１及び第２の実施形態では、実行主体はＰＯＳ端末１０１のＣＰＵ１５２）。したがって、第３の実施形態におけるストアコントローラ３０１での処理について、以下に説明する（図１５参照）。
【０１０３】
そして、この処理において健康状態の非改善判定がなされた場合には、他の実施形態と同様に特典情報のデータの生成がストアコントローラ３０１のＣＰＵ３５２によって行われるが、この生成されたデータは、ストアコントローラ３０１に記憶保存される。したがって、ストアコントローラ３０１のＨＤＤ３５５には、特典情報のデータを会員ＩＤと共に記憶する第２の記憶領域としての特典情報ファイルＦ２が形成されている（図１６参照）。
【０１０４】
さらに、第３の実施形態では、ＰＯＳ端末１０１では、会員カードＭＣ１に記憶された会員ＩＤの取得が行われたならば、この会員ＩＤに基づいて特典情報ファイルＦ２が検索されて、対応する特典情報データの取得が行われるのである。そこで、ＰＯＳ端末１０１で実行される処理についても説明する（図１７参照）。
【０１０５】
まず、図１５に基づいてストアコントローラ３０１で実行される処理について説明する。この処理の前提として、会員カードＭＣ１を所有する会員は電子血圧計２０１を用いて血圧値の測定をしているはずである。この測定に際して電子血圧計２０１で実行される処理については、第２の実施形態で説明した処理（図１１参照）と同様であるので、説明を省略する。つまり、電子血圧計２０１では、会員カードＭＣ１から会員ＩＤのデータが取得され、血圧値が算出される。そして、電子血圧計２０１からは、会員ＩＤのデータと血圧値のデータとが、測定日時のデータと共に、通信インターフェース２７１を介して、ストアコントローラ３０１を送信先として出力されるのである。
【０１０６】
図１５は、第３の実施形態におけるストアコントローラ３０１で実行される処理の流れを示すフローチャートである。ストアコントローラ３０１のＣＰＵ３５２は、電子血圧計２０１から送信出力されたデータ（会員ＩＤ、血圧値、測定日時）を、通信インターフェース３５６を介して受信したならば（ステップＳ３１１のＹ）、受信したデータに含まれる会員ＩＤと同一の会員ＩＤを記憶する測定データファイルＦ１（図１３参照）を探し出し、探し出した測定データファイルＦ１に対して、受信したデータに含まれる測定日時と血圧値とを記憶させる。（ステップＳ３１２）。このとき、受信したデータに含まれる会員ＩＤと同一の会員ＩＤを記憶する測定データファイルＦ１が形成されていない場合には、ストアコントローラ３０１のＣＰＵ３５２は、受信した会員ＩＤについての新規な測定データファイルＦ１をＨＤＤ３５５に形成する。また、測定データファイルＦ１に測定日時及び血圧値のデータを記憶させる際に、既に５件の測定日時及び血圧値データが記憶されている場合には、最も古いデータを消去させることになる。
【０１０７】
次に、ストアコントローラ３０１のＣＰＵ３５２は、この測定データファイルＦ１を対象として、図１４のフローチャートのステップＳ２５３〜ステップＳ２５６でＰＯＳ端末１０１のＣＰＵ１５２が実行した処理と同様の処理を、ステップＳ３１３〜ステップＳ３１６として実行する。つまり、特典フラグに基づいて特典付与済であるか否かを判定し（ステップＳ３１３）、特典付与済で無い場合には（ステップＳ３１３のＹ）、健康状態が非改善であるか否かを判定し（ステップＳ３１４）、健康状態の非改善判定をした場合には（ステップＳ３１４のＹ）、特典情報のデータを生成して（ステップＳ３１５）、測定データファイルＦ１に特典フラグ「１」を記憶させる（ステップＳ３１６）。
【０１０８】
なお、ストアコントローラ３０１のＣＰＵ３５２が、特典付与済を判定した場合（ステップＳ３１３のＮ）、又は、健康状態の非改善判定をしなかった場合には（ステップＳ３１４のＮ）、そのまま処理を終える。
【０１０９】
本実施の形態でも、新たな１件の血圧値のデータが記憶されて測定データファイルＦ１が更新される場合等には、ストアコントローラ３０１のＣＰＵ３５２は、特典フラグ「１」をゼロクリアするようにする。なお、ストアコントローラ３０１のＣＰＵ３５２は、確実に特典情報のデータの生成を行うために、定期的に繰り返して、会員ＩＤ毎に、ステップＳ３１３〜ステップＳ３１６の処理を実行するようにする。これにより、本実施の形態においても、測定データファイルＦ１が記憶する特典フラグの意義が生ずる。
【０１１０】
そして、本実施の形態では、ステップＳ３１５において、ストアコントローラ３０１のＣＰＵ３５２は、生成した特典情報のデータをＨＤＤ３５５に形成された特典情報ファイルＦ２（図１６参照）に記憶させるのである。
【０１１１】
図１６は、特典情報ファイルＦ２のデータ構成を示す模式図である。図１６に示すように、特典情報ファイルＦ２は、会員ＩＤに対応付けて特典情報を記憶するデータ構成を有している。そこで、ストアコントローラ３０１のＣＰＵ３５２は、図１５のフローチャートのステップＳ３１５では、生成した特典情報のデータを、ステップＳ３１１で電子血圧計２０１から受信したデータに含まれる会員ＩＤ（ステップＳ３１４で健康状態の非改善判定をした血圧値等が記憶されている測定データファイルＦ１に記憶されている会員ＩＤ）のデータに対応付けて、特典情報ファイルＦ２に記憶させる。こうして、特典情報ファイルＦ２に記憶された特典情報は、会員ＩＤによって特定可能となる。
【０１１２】
図１７は、ＰＯＳ端末１０１で実行される商品販売データ処理の流れを示すフローチャートである。ＰＯＳ端末１０１のＣＰＵ１５２は、所定の操作によって商品販売データ処理が開始されると、ＲＦＩＤリーダライタ１１２の会員カードＭＣ１の読み取りに基づくデータの取得に待機する（ステップＳ３５１）。本実施の形態においても、会員カードＭＣ１のＩＣチップＭＣ２には会員ＩＤのデータのみが記憶されているため、ステップＳ３５１では、ＰＯＳ端末１０１のＣＰＵ１５２は、会員ＩＤのデータのみを取得することになる。
【０１１３】
そして、会員ＩＤのデータを取得したならば（ステップＳ３５１のＹ）、本実施の形態では、ＰＯＳ端末１０１のＣＰＵ１５２は、ストアコントローラ３０１のＨＤＤ３５５にデータアクセスし、取得した会員ＩＤに基づいて特典情報ファイルＦ２を検索して（ステップＳ３５２）、この会員ＩＤに対応する特典情報のデータを取得するのである（ステップＳ３５３）。ステップＳ３５１で取得した会員ＩＤに対応する特典情報のデータが特典情報ファイルＦ２に記憶されていて、この特典情報のデータを取得したならば（ステップＳ３５３のＹ）、ＰＯＳ端末１０１のＣＰＵ１５２は、取得した特典情報のデータをＲＡＭ１５４に記憶させて（ステップＳ３５４）、コードリーダ１１１から出力される商品コードの取得に待機する（ステップＳ３５５）。
【０１１４】
なお、ＰＯＳ端末１０１のＣＰＵ１５２は、ステップＳ３５１でＲＦＩＤリーダライタ１１２による会員カードＭＣ１の読み取りが行われずに、データを取得しなかった場合には（ステップＳ３５１のＮ）、続くステップＳ３５２〜ステップＳ３５４の処理をスキップして商品コードの取得を待機する（ステップＳ３５５）。
【０１１５】
また、ステップＳ３５１で取得したデータに含まれる会員ＩＤに対応する特典情報のデータが特典情報ファイルＦ２に記憶されておらず、特典情報データの取得をしなかった場合には（ステップＳ３５３のＮ）、ＰＯＳ端末１０１のＣＰＵ１５２は、特典情報データのＲＡＭ１５４への記憶（ステップＳ３５４参照）を実行せずに、商品コードの取得に待機する（ステップＳ３５５）。
【０１１６】
ステップＳ３５５以下の処理（ステップＳ３５５〜ステップＳ３６４）については、第１の実施形態における図８のフローチャートステップＳ１５６〜ステップＳ１６５の処理と同様の処理であるので、説明は省略する。
【０１１７】
そして、第３の実施形態においても、第１の実施形態で説明したようなレシートＲＴ（図９参照）の発行が行われる（ステップＳ３６４）。つまり、発行されるレシートＲＴには、健康状態の非改善判定と健康状態改善商品の購入判定とに応じて特典処理を実行した旨の情報（一例として、「「××××茶」ご購入ありがとうございます  高血圧改善が見られませんでしたので  ５０円値引サービスいたします」という文字情報）が印刷されているのである。
【０１１８】
したがって、第３の実施形態においても、レシートＲＴを見た会員顧客は、健康状態（高血圧）が改善されなかった際にこの健康状態の改善に資する健康状態改善商品を購入したことにより特典付与（この場合、健康状態改善商品についての値引）がなされたことを知ることができる。そして、第３の実施形態によれば、この会員顧客に再び健康状態の非改善があった場合に、この会員顧客が特典を望んで、スポーツクラブ外の小売店ではなく、スポーツクラブ施設内のこの売店エリアを積極的に選択して、この健康状態改善商品を含む商品の購入をすることが期待される。このようにして、電子血圧計２０１が設置されたスポーツクラブの施設内に設けられている売店にユニークであり、かつ、効果的な販売が実現される。
【０１１９】
［第４の実施形態］
本発明の第４の実施形態について図１８ないし図２３に基づいて説明する。他の実施形態と同一の部分は同一の符号で示し、説明も省略する。
【０１２０】
第４の実施形態と他の実施形態との相違点を概略的に説明する。まず、第４の実施形態では、ストアコントローラ３０１とＰＯＳ端末１０１とは、スポーツクラブの施設外の小売店に設置されている。これについては以下に示す図１８に基づいて詳細に説明する。なお、第４の実施形態におけるＰＯＳ端末１０１、電子血圧計２０１、及び、ストアコントローラ３０１の外観やハードウェア構成については、他の実施形態と同様である。
【０１２１】
また、第４の実施形態では、第１〜第３の実施形態のように電子血圧計２０１はストアコントローラ３０１とデータ通信可能に接続されておらず、電子血圧計２０１は、スポーツクラブの施設内に設置された第２の上位装置としての施設サーバ４０１とデータ通信可能に接続されている。したがって、第４の実施形態の販売促進システム１１は、このような施設サーバ４０１を有する。そして、この施設サーバ４０１がストアコントローラ３０１とデータ通信可能に接続されている。これについても以下に示す図１８及び図１９に基づいて詳細に説明する。
【０１２２】
そして、第４の実施形態では、電子血圧計２０１で測定された血圧値等のデータは、まず、施設サーバ４０１に送信され（図２０参照）、施設サーバ４０１で健康状態が非改善であるか否かの判定等がなされて特典情報のデータが生成され（図２１参照）、生成された特典情報のデータがストアコントローラ３０１に記憶されるのである（図２２参照）。そのため、第４の実施形態では、第２及び第３の実施形態ではストアコントローラ３０１のＨＤＤ３５５に形成されている測定データファイルＦ１が、施設サーバ４０１のＨＤＤ４５５（図１９参照）に形成されている。なお、特典情報ファイルＦ２については、第３の実施形態と同様に、ストアコントローラ３０１のＨＤＤ３５５に形成されている。
【０１２３】
図１８は、第４の実施形態における販売促進システム１１を示すシステム構成図である。第４の実施形態の販売促進システム１１は、スポーツクラブの施設と、このスポーツクラブとは独立して別の場所の設けられている小売店（コンビニエンスストア）の店舗とに渡って導入されている。このスポーツクラブとこの小売店とは、互いに業務提携を締結している。
【０１２４】
本実施の形態のスポーツクラブは、トレーニングエリアのみが設けられており、売店エリアは設けられていない。なお、本実施の形態のスポーツクラブも、他の実施形態と同様に会員制であり、会員には固有の会員ＩＤのデータが記憶された会員カードＭＣ１が与えられている。
【０１２５】
図１８に示すように、本実施の形態では、ＰＯＳ端末１０１とストアコントローラ３０１とが小売店の店舗に導入されている。ＰＯＳ端末１０１は、店舗のレジカウンタ（図示せず）に載置され、また、ストアコントローラ３０１は、店舗のバックヤードに設置されている。ＰＯＳ端末１０１とストアコントローラ３０１とは、ネットワーク回線２１を介してデータ通信自在に接続されている。また、本実施の形態では、スポーツクラブのトレーニングエリアに、他のトレーニング器具と共に、電子血圧計２０１が設置されている。
【０１２６】
そして、本実施の形態の販売促進システム１１は、スポーツクラブの施設内の事務所等に設置させて、一般的なサーバコンピュータの形態の施設サーバ４０１を有している。電子血圧計２０１と施設サーバ４０１とは、一例として有線ＬＡＮであるネットワーク回線３１を介してデータ通信自在に接続されている。そのため、本実施の形態では、電子血圧計２０１の通信インターフェース２７１は、ネットワーク回線３１を介して、データ通信を実行するものである。さらに、本実施の形態では、ネットワーク回線２１とネットワーク回線３１とは、インターネットやＣＡＦＩＳ等の広域ネットワーク網４１を介して接続されている。したがって、スポーツクラブに設置された施設サーバ４０１と小売店の店舗に設置されたストアコントローラ３０１とは、ネットワーク回線３１と広域ネットワーク網４１とネットワーク回線２１とを介して、データ通信自在に接続されている。
【０１２７】
図１９は、施設サーバ４０１のハードウェア構成を示すブロック図である。施設サーバ４０１は、各種演算処理を実行し各部を制御する情報処理部としてのＣＰＵ４５２を備えている。ＣＰＵ４５２には、プログラム等の固定データを固定的に記憶保存するＲＯＭ４５３と、可変データを書き換え自在に記憶してワークエリアとして使用されるＲＡＭ４５４と、プログラムや各種ファイルが記憶されているＨＤＤ４５５とがバス接続されている。ＣＰＵ４５２とＲＯＭ４５３とＲＡＭ４５４とは、マイクロコンピュータ４５１を構成する。また、施設サーバ４０１には、ネットワーク回線３１を介して外部装置とデータ通信を実行するための第４の通信部としての通信インターフェース４５６も内蔵されており、この通信インターフェース４５６もＣＰＵ４５２にバス接続されている。ＣＰＵ４５２は、プログラムに従って各種処理を実行する。
【０１２８】
図２０は、第４の実施形態における電子血圧計２０１で実行される血圧測定処理の流れを示すフローチャートである。本実施の形態の血圧測定処理におけるステップＳ４０１〜ステップＳ４０７、ステップＳ４０９の処理は、図４に基づいて説明した第１の実施形態におけるステップＳ１０１〜ステップＳ１０７、ステップＳ１０９の処理とそれぞれ処理内容が同じであるので説明を省略する。
【０１２９】
そして、本実施の形態では、電子血圧計２０１のＣＰＵ２５２は、ステップＳ４０７（血圧値の表示デバイス２０６への表示）に続く処理として、ステップＳ４０１で取得した会員ＩＤのデータと、ステップＳ４０６で算出した血圧値のデータとを、測定日時のデータと共に、通信インターフェース２７１を介して、施設サーバ４０１を送信先として出力させる（ステップＳ４０８）。
【０１３０】
図２１は、施設サーバ４０１で実行される処理の流れを示すフローチャートである。施設サーバ４０１のＣＰＵ４５２は、電子血圧計２０１から送信出力されたデータ（会員ＩＤ、血圧値、測定日時）を、通信インターフェース４５６を介して受信したならば（ステップＳ４１１のＹ）、受信したデータに含まれる会員ＩＤと同一の会員ＩＤを記憶する測定データファイルＦ１（図１３参照）を探し出し、探し出した測定データファイルＦ１に対して、受信したデータに含まれる測定日時と血圧値とを記憶させる（ステップＳ４１２）。このとき、受信したデータに含まれる会員ＩＤと同一の会員ＩＤを記憶する測定データファイルＦ１が形成されていない場合には、施設サーバ４０１のＣＰＵ４５２は、受信した会員ＩＤについての新規な測定データファイルＦ１をＨＤＤ４５５に形成する。また、測定データファイルＦ１に測定日時及び血圧値のデータを記憶させる際に、既に５件の測定日時及び血圧値データが記憶されている場合には、最も古いデータを消去させることになる。
【０１３１】
次に、施設サーバ４０１のＣＰＵ４５２は、この測定データファイルＦ１を対象として、特典フラグに基づいて特典付与済であるか否かを判定し（ステップＳ４１３）、特典付与済で無い場合には（ステップＳ４１３のＹ）、健康状態が非改善であるか否かを判定し（ステップＳ４１４）、健康状態の非改善判定をした場合には（ステップＳ４１４のＹ）、特典情報のデータを生成する（ステップＳ４１５）。
【０１３２】
なお、施設サーバ４０１のＣＰＵ４５２が、特典付与済を判定した場合（ステップＳ４１３のＮ）、又は、健康状態の非改善判定をしなかった場合には（ステップＳ４１４のＮ）、そのまま処理を終える。
【０１３３】
本実施の形態でも、新たな１件の血圧値のデータが記憶されて測定データファイルＦ１が更新される場合等には、施設サーバ４０１のＣＰＵ４５２は、特典フラグ「１」をゼロクリアするようにする。なお、施設サーバ４０１のＣＰＵ４５２は、確実に特典情報のデータの生成を行うために、定期的に繰り返して、会員ＩＤ毎に、ステップＳ４１３〜ステップＳ４１６の処理を実行するようにする。これにより、本実施の形態においても、測定データファイルＦ１が記憶する特典フラグの意義が生ずる。
【０１３４】
そして次に、本実施の形態では、施設サーバ４０１のＣＰＵ４５２は、ステップＳ４１５で生成した特典情報のデータを、ステップＳ４１１で取得した会員ＩＤ（ステップＳ４１４で健康状態の非改善判定をした血圧値等が記憶されている測定データファイルＦ１に記憶されている会員ＩＤ）のデータと共に、通信インターフェース４５６を介して、ストアコントローラ３０１を送信先として出力させる（ステップＳ４１６）。その後、施設サーバ４０１のＣＰＵ４５２は、測定データファイルＦ１に特典フラグ「１」を記憶させて（ステップＳ４１７）、処理を終える。
【０１３５】
図２２は、第４の実施形態におけるストアコントローラ３０１で実行される処理の流れを示すフローチャートである。ストアコントローラ３０１のＣＰＵ３５２は、施設サーバ４０１から送信出力されたデータ（会員ＩＤ及び特典情報）を、通信インターフェース３５６を介して受信したならば（ステップＳ４３１のＹ）、受信した会員ＩＤのデータと特典情報のデータとをＨＤＤ３５５に形成されている特典情報ファイルＦ２に対応付けて記憶させる（ステップＳ４３２）。
【０１３６】
そして、第４の実施形態では、スポーツクラブの会員は、トレーニングエリアに設置された電子血圧計２０１を用いて血圧値の測定を行った後、ＰＯＳ端末１０１が導入されている小売店に、この小売店とスポーツクラブとの業務提携を知って又は知らずに、商品購入のために立ち寄ることがある。この商品購入に際しては、ＰＯＳ端末１０１で商品販売データ処理が実行される。このとき、第４の実施形態においては、ＰＯＳ端末１０１のＣＰＵ１５２は、第３の実施形態と同様の処理（図１７参照）と同様の処理を行うのである。
【０１３７】
まず、第４の実施形態においては、ＰＯＳ端末１０１のキャッシャは、顧客に対してスポーツクラブの会員であるか否かを尋ね、顧客が会員であると回答した場合には、会員である顧客に対して、会員カードＭＣ１をカードホルダ１１２ａにセットするように促す。
【０１３８】
そして、ＰＯＳ端末１０１のＣＰＵ１５２は、ＲＦＩＤリーダライタ１１２の会員カードＭＣ１の読み取りによって、会員カードＭＣ１から会員ＩＤを取得したならば（図１７のフローチャートのステップＳ３５１のＹ参照）、ストアコントローラ３０１のＨＤＤ３５５にデータアクセスし、取得した会員ＩＤに基づいて特典情報ファイルＦ２を検索して（図１７のフローチャートのステップＳ３５２の参照）、この会員ＩＤに対応する特典情報のデータを取得するのである。そして、取得した会員ＩＤに対応する特典情報のデータが特典情報ファイルＦ２に記憶されていて、この特典情報のデータを取得したならば（図１７のフローチャートのステップＳ３５３のＹ参照）、ＰＯＳ端末１０１のＣＰＵ１５２は、取得した特典情報のデータをＲＡＭ１５４に記憶させて（図１７のフローチャートのステップＳ３５４参照）、コードリーダ１１１から出力される商品コードの取得に待機する（図１７のフローチャートのステップＳ３５５参照）。なお、以下の処理については、第１の実施形態（図８のフローチャートステップＳ１５６〜ステップＳ１６５参照）と同様の処理であるので、説明は省略する。
【０１３９】
そして、第４の実施形態においても、ＰＯＳ端末１０１での商品販売データ処理に伴って、レシートプリンタ１０６によってレシートＲＴ（図２３参照）の発行が行われる。
【０１４０】
図２３は、第４の実施形態におけるレシートＲＴを示す正面図である。図９に基づいて説明したレシートＲＴ（第１〜第３の実施形態）と同一部分については説明を省略する。
【０１４１】
図２３に示すように、第４の実施形態のレシートＲＴの上方領域にはロゴが印刷されている。このロゴは、第１の実施形態のロゴ（「○△スポーツクラブ  売店エリア」という文字列）とは異なり、「○△ストアＸＸ店  ○△スポーツクラブ提携店」という文字列となっている。これは、レシートＲＴを発行するＰＯＳ端末１０１が、スポーツクラブではなく、スポーツクラブ施設外の小売店に設置されているからであり、ロゴ中の文字列「○△ストアＸＸ店」は、この小売店の店名を示している。
【０１４２】
そして、図２３に示すように、第４の実施形態のレシートＲＴの下方領域には、第１の実施形態と同様に、健康状態の非改善判定と健康状態改善商品の購入判定とに応じて特典処理を実行した旨の情報が印刷されている。この旨は、図２３中では、「「××××茶」ご購入ありがとうございます  高血圧改善が見られませんでしたので  ５０円値引サービスいたします」という文字情報として印刷されている。
【０１４３】
このようなレシートＲＴを見た会員顧客は、健康状態（高血圧）が非改善であったために今回の健康状態改善商品購入で値引がなされたことを知ることができる。さらに、この会員顧客は、レシートＲＴに印刷されたロゴによって、商品購入をした小売店が、事前に訪れていたスポーツクラブと提携している店舗であることを知ることができる。そして、第４の実施形態によれば、この会員顧客に再び健康状態の非改善があった場合に、この会員顧客が特典を望んで、この小売店を積極的に選択して健康状態改善商品を含む商品の購入をすることが期待される。このようにして、電子血圧計２０１が設置されたスポーツクラブと業務提携を締結している小売店にユニークであり、かつ、効果的な販売が実現される。
【０１４４】
さらに、第４の実施形態では、電子血圧計２０１によって測定された測定値のデータが、そのままの状態で電子血圧計２０１が設定されている施設（スポーツクラブ）の外に出力されることがないため（特典情報のデータとしてスポーツクラブ施設外の小売店に出力される）、電子血圧計２０１で測定された血圧値のような個人情報の外部漏洩を嫌う顧客に対しても、個人情報漏洩の危険性が少ない旨を主張して、販売促進を提供することができる。
【図面の簡単な説明】
【０１４５】
【図１】販売促進システムを示すシステム構成図である。
【図２】電子血圧計を示す外観斜視図である。
【図３】電子血圧計のハードウェア構成を示すブロック図である。
【図４】第１の実施形態における電子血圧計で実行される血圧測定処理の流れを示すフローチャートである。
【図５】第１の実施形態における会員カードのＩＣチップのデータ構成を示す模式図である。
【図６】ＰＯＳ端末を示す外観斜視図である。
【図７】ＰＯＳ端末のハードウェア構成を示すブロック図である。
【図８】第１の実施形態におけるＰＯＳ端末で実行される商品販売データ処理の流れを示すフローチャートである。
【図９】レシートを示す正面図である。
【図１０】ストアコントローラのハードウェア構成を示すブロック図である。
【図１１】第２の実施形態における電子血圧計で実行される血圧測定処理の流れを示すフローチャートである。
【図１２】第２の実施形態におけるストアコントローラで実行される処理の流れを示すフローチャートである。
【図１３】測定データファイルのデータ構成を示す模式図である。
【図１４】第２の実施形態におけるＰＯＳ端末で実行される商品販売データ処理の流れを示すフローチャートである。
【図１５】第３の実施形態におけるストアコントローラで実行される処理の流れを示すフローチャートである。
【図１６】特典情報ファイルのデータ構成を示す模式図である。
【図１７】ＰＯＳ端末で実行される商品販売データ処理の流れを示すフローチャートである。
【図１８】第４の実施形態における販売促進システムを示すシステム構成図である。
【図１９】施設サーバのハードウェア構成を示すブロック図である。
【図２０】第４の実施形態における電子血圧計で実行される血圧測定処理の流れを示すフローチャートである。
【図２１】施設サーバで実行される処理の流れを示すフローチャートである。
【図２２】第４の実施形態におけるストアコントローラで実行される処理の流れを示すフローチャートである。
【図２３】第４の実施形態におけるレシートを示す正面図である。
【符号の説明】
【０１４６】
１１…販売促進システム
ＭＣ１…会員カード（記憶媒体）、１０１…ＰＯＳ端末（商品販売データ処理装置）、１０６…レシートプリンタ（報知部）、１１１…コードリーダ（商品コード読取部）、１１２…ＲＦＩＤリーダライタ（リーダ、第２のリーダ）、１１３…通信インターフェース（第３の通信部）、１５２…ＣＰＵ（商品販売データ処理装置の情報処理部）、２０１…電子血圧計（測定装置）、２５２…ＣＰＵ（測定装置の情報処理部）、２０１ａ…測定部、２１１…ＲＦＩＤリーダライタ（リーダライタ、第１のリーダ）、２７１…通信インターフェース（第１の通信部）、３０１…ストアコントローラ（第１の上位装置）、３５２…ＣＰＵ（第１の上位装置の情報処理部）、３５６…通信インターフェース（第２の通信部）、４０１…施設サーバ（第２の上位装置）、４５２…ＣＰＵ（第２の上位装置の情報処理部）、４５６…通信インターフェース（第４の通信部）、Ｆ１…測定データファイル（第１の記憶領域）、Ｆ２…特典情報ファイル（第２の記憶領域）
【図１】
2009251696.tif 000003
【図２】
2009251696.tif 000004
【図３】
2009251696.tif 000005
【図４】
2009251696.tif 000006
【図５】
2009251696.tif 000007
【図６】
2009251696.tif 000008
【図７】
2009251696.tif 000009
【図８】
2009251696.tif 000010
【図９】
2009251696.tif 000011
【図１０】
2009251696.tif 000012
【図１１】
2009251696.tif 000013
【図１２】
2009251696.tif 000014
【図１３】
2009251696.tif 000015
【図１４】
2009251696.tif 000016
【図１５】
2009251696.tif 000017
【図１６】
2009251696.tif 000018
【図１７】
2009251696.tif 000019
【図１８】
2009251696.tif 000020
【図１９】
2009251696.tif 000021
【図２０】
2009251696.tif 000022
【図２１】
2009251696.tif 000023
【図２２】
2009251696.tif 000024
【図２３】
2009251696.tif 000025